(57)【特許請求の範囲】
【請求項１】
フランジ状のフレーム（２）によって包囲された、互いに並んで配置されるコネクタモジュールを受容するためのプラスチック材料製の保持フレーム（１）であって、
保持フレーム（１）がその差込み側に、スリット（８）によって切り離された複数の壁セグメント（９）を有しており、これらの壁セグメントのうちの、対称的に向かい合って位置している各２つの壁セグメントが、コネクタモジュール（１５）のための差込み領域（１０）を形成しており、
壁セグメント（９）が窓状の開口（４）を有しており、
コネクタモジュール（１５）の狭幅側に形成された突出部（１６）が形成されており、
コネクタモジュール（１５）が保持フレーム（１）の差込み領域（１０）に挿入されると、突出部（１６）が窓状の開口（４）内に係止することを特徴とする、コネクタモジュール用の保持フレーム。
【請求項２】
壁セグメント（９）に外側から形成された窓ウェブ（５）により、壁セグメント（９）の内側に窓状の開口（４）の幅に相当する導入傾斜部（６）付きのガイド溝（７）が形成されている、請求項１記載の保持フレーム。
【発明の詳細な説明】
【技術分野】
【０００１】
本発明は、互いに並んで配置されるコネクタモジュールを受容するための、プラスチック材料製の一体的な保持フレームに関する。
【背景技術】
【０００２】
このような保持フレームは、部分的に種々異なった差込み態様を有する複数のコネクタモジュールを１つのコネクタハウジングにおいてまとめるため、並びに相応な対応コネクタと組み合わせるために必要である。
【０００３】
ＤＥ１９７０７１２０Ｃ１に基づいて公知の、コネクタモジュールを保持するための保持フレームは、互いに枢着的に結合された２つの半部から形成されており、保持フレームにおける切欠きに挿入可能なコネクタモジュールは、両方の半部が畳まれて閉じられた場合に形状結合式（formschluessig）に保持されるようになっている。
【特許文献１】ＤＥ１９７０７１２０Ｃ１
【発明の開示】
【発明が解決しようとする課題】
【０００４】
本発明の課題は、冒頭に述べた形式の、プラスチックから成形された一体的な保持フレームを改良して、既に公知のコネクタモジュールをより確実に係止及び保持できるようにすることである。
【課題を解決するための手段】
【０００５】
この課題を解決するために本発明の構成では、保持フレームがその差込み側に、スリットによって切り離された複数の壁セグメントを有しており、これらの壁セグメントのうちの、対称的に向かい合って位置している各２つの壁セグメントが、コネクタモジュールのための差込み領域を形成している。
【０００６】
本発明の別の有利な構成は、請求項２に記載されている。
【発明の効果】
【０００７】
本発明によって得られる利点としては特に次のことが挙げられる。すなわち本発明では、保持フレームを一体的なプラスチック射出成形品として、例えば金属製のジョイント・保持フレーム（Gelenk-Halterahmen）に比べて僅かな数の部材によって、製造することができる。さらに、内部に電気的な接点が配置されているコネクタモジュールを保持フレームに挿入及び係止することは、互いに滑りやすいプラスチックに基づいて簡単に実施することができる。そのために、カラー状に形成された保持フレームの長手方向壁は差込み側において、スリットによって切り離された複数の壁セグメントに分割されており、これらの壁セグメントのうちの、対称的に向かい合って位置している各２つの壁セグメントは、各１つのコネクタモジュールのための差込み領域を形成している。
【０００８】
本発明の別の有利な構成では、壁セグメントが窓状の開口を有しており、この開口の上にはガイド溝が形成されている。このように構成されていると、狭幅側に一体成形された突出部を備えたコネクタモジュールを、導入傾斜部を備えたガイド溝に差し込むことができ、この場合突出部は、ばね弾性的な壁セグメントを短時間外方に向かって押圧し、次いで開口内に係止する。
【０００９】
付加的に、コネクタモジュールは係止アームを有しており、これらの係止アームは狭幅側にケーブル接続部の側に向かって作用するように一体成形されており、そして前記開口への突出部の係止と共に、側部のカラー壁の下において係止する。その結果、互いに無関係な独立した２つの係止手段がコネクタモジュールを保持フレームにおいて固定することになる。
【発明を実施するための最良の形態】
【００１０】
次に図面を参照しながら本発明の実施の形態を説明する。
【００１１】
図１には、プラスチック材料製の保持フレーム１の全体が示されており、この保持フレーム１は、個別のコネクタモジュール１５を挿入するためのものである。
【００１２】
保持フレーム１は方形でフランジ状のフレーム２を有していて、このフレーム２の上には垂直に環状のカラー３が一体成形されている。
【００１３】
長辺側には複数の窓状の開口４が設けられており、これらの開口４の差込み側の終端部は、ほぼ壁厚分だけ外側にずらされた窓ウェブ５によって形成されている。
【００１４】
保持フレーム１の内側に窓ウェブ５は導入傾斜部６を備えて形成されている。
【００１５】
開口４の両側には、ほぼカラー高さのほぼ真ん中まで達するスリット８が設けられており、これによってそれぞれ１つの弾性的な壁セグメント９が形成されている。
【００１６】
互いに向かい合って配置された２つの壁セグメント９はそれぞれ、コネクタモジュール用の差込み領域１０を形成している。
【００１７】
コネクタモジュール１５が保持フレーム１における差込み領域１０に挿入されると、まず初め、コネクタモジュール１５の狭幅側に形成された突出部１６がガイド溝７の導入傾斜部６に挿入され、この際にそれぞれ互いに向かい合っている壁セグメント９は、突出部１６が窓状の開口４にスナップ結合して壁セグメントが跳ね戻るまで、外方に向かって曲げられる。
【００１８】
さらに、コネクタモジュール１５の狭幅側には係止アーム１７が一体成形されており、これらの係止アーム１７は、保持フレーム１へのコネクタモジュール１５の挿入時に、差込み側から、壁セグメント９に沿って圧縮され、カラー３の下で、該カバーの下に配置されたフランジフレーム２によって形成された拡大された開口に達し、その結果係止アーム１７は外方に向かって弛緩して、カラー下縁部のところで係止する。これによってモジュールは、保持フレームにおける互いに無関係な独立した２つの係止手段によって固定される。
【００１９】
図２には、係止された２つのコネクタモジュール１５を備えた保持フレーム１を接続部側から見た斜視図が示されている。フレーム状のフランジ２には狭幅側の面に、ピンもしくはブシュとして形成された２つのコード化エレメント１２が設けられており、両コード化エレメント１２は、相応に形成された対応コネクタとの取り違えのない差込みのために働く。
【００２０】
さらにフランジの外縁部には、狭幅側における開口に挿入可能な４つのねじエレメント１３が配置されており、これらのねじエレメント１３の、フランジを貫通するピンによって、保持フレームは図示されていないコネクタハウジングに固定可能である。
【００２１】
この図２からはさらに、コネクタモジュールの係止されている状態、つまりフック状の係止アーム１７が、下に位置するカラー縁部に比べて増大された内側切欠きの内部に係止している様子が分かる。
【図面の簡単な説明】
【００２２】
【図１】コネクタモジュールを備えた保持フレームを差込み側から見た斜視図である。
【図２】コネクタモジュールを備えた保持フレームをケーブル接続部の側から見た斜視図である。
【符号の説明】
【００２３】
１  保持フレーム、  ２  フレーム、  ３  カラー、  ４  開口、  ５  窓ウェブ、  ６  導入傾斜部、  ７  ガイド溝、  ８  スリット、  ９  壁セグメント、  １０  差込み領域、  １２  コード化エレメント、  １３  ねじエレメント、  １５  コネクタモジュール、  １６  突出部、  １７  係止アーム
【図１】
0004473854.tif 000002
【図２】
0004473854.tif 000003